(57)【要約】【課題】短時間で一の物体を他の物体に係止することができる結合構造を提供する。【解決手段】突起部３４を他の突起部３１〜３３よりも先に凹部５４に係合させることによって、係合した突起部３４以外の他の突起部３１〜３３と、該他の突起部３１〜３３に対応する凹部５１〜５３との位置が合い、複数の突起部３１〜３４と該突起部３１〜３４に対応する複数の凹部５１〜５４とを同時に位置合わせすることなく、短時間で一の物体が他の物体に係止される構成とした。【選択図】図６
2011033086.tif 000002
【特許請求の範囲】
【請求項１】
一の物体の上下に伸びる側面に配設された複数の突起部と、他の物体の上下に伸びる側面に設けられ、上下方向に対して傾斜した傾斜部分を有し、前記複数の突起部を係止するための係止部とを備え、前記係止部に前記突起部を係止させることによって前記一の物体と前記他の物体とを結合する結合構造において、
前記係止部は、
前記傾斜部分に位置し、前記突起部の内の一つが係合する第１凹部と、
残余の前記突起部が係合し、前記第１凹部よりも上側に位置する第２凹部とを備え、
前記第１凹部及び第２凹部の開口部間の距離が前記第１凹部及び第２凹部に係合する突起部間の距離よりも短いこと
を特徴とする結合構造。
【請求項２】
前記第１凹部及び第２凹部は、
下側に伸びる第１溝部と、
該第１溝部の下端部に一端部が連なり、前記第１溝部に交差する第２溝部と、
前記第２溝部の他端部に連なっており、下側に伸びる第３溝部と
を備えることを特徴とする請求項１に記載の結合構造。
【請求項３】
前記第２溝部の他端部は上側に突出しており、前記突起部を掛止する掛止部を有することを特徴とする請求項２に記載の結合構造。
【請求項４】
一の物体の上下に伸びる側面に取付部を設けてあり、
前記突起部は前記取付部を介して一の物体に取り付けてあること
を特徴とする請求項１から３のいずれか一つに記載の結合構造。
【請求項５】
前記一の物体は表示装置であることを特徴とする請求項１から４のいずれか一つに記載の結合構造。
【発明の詳細な説明】
【技術分野】
【０００１】
本発明は対向する二つの物体を連結する結合構造に関し、特に壁などの固定された物体と表示装置とを連結する結合構造に関する。
【背景技術】
【０００２】
表示画面の大きさに比べて室内の占有面積が小さい液晶表示装置は、限られた室内空間を有効に利用できることから、一般に広く普及している。液晶表示装置は床に設置されることが多いが、更なる室内空間の有効利用を図る場合には壁に設置される。
【０００３】
特許文献１には、表示装置の後部から突出した複数の突起部と、上下方向に対して横側に傾倒した傾斜面を有し、該傾斜面に下側に伸びる複数の切欠を設けた治具とを備える壁掛け装置が開示されている。前記治具は壁に取り付けてあり、表示装置を壁に設置する場合に、前記傾斜面上を突起部を摺動させて切欠に係合するようにしてある。
【０００４】
突起部が切欠に係合している場合であっても、地震などによって表示装置に下側から力が作用したときには、突起部が切欠から抜け出し、表示装置が治具から外れるおそれがある。特許文献２には、クランク状をなす複数の切欠を形成した治具に複数の突起部を係合させた固定装置が開示されている。特許文献２に記載の固定装置にあっては、下側から力が作用し、切欠に係合した突起部が上側に移動したとしても、クランクの角部に当接するので、表示装置が治具から外れることはない。
【先行技術文献】
【特許文献】
【０００５】
【特許文献１】特開２００８−６９９３７号公報
【特許文献２】特開平１１−２０１３８６号公報
【発明の概要】
【発明が解決しようとする課題】
【０００６】
しかし特許文献１及び２に記載の壁掛け装置及び固定装置は、複数の切欠と複数の突起部との位置を同時に整合させる必要があるため、作業者の作業負担が大きく、表示装置の取り付けに長時間を要するという問題がある。
【０００７】
本発明は斯かる事情に鑑みてなされたものであり、複数の切欠と複数の突起部との位置を同時に整合させずとも、短時間で一の物体を他の物体に係止させることができる結合構造を提供することを目的とする。
【課題を解決するための手段】
【０００８】
本発明に係る結合構造は、一の物体の上下に伸びる側面に配設された複数の突起部と、他の物体の上下に伸びる側面に設けられ、上下方向に対して傾斜した傾斜部分を有し、前記複数の突起部を係止するための係止部とを備え、前記係止部に前記突起部を係止させることによって前記一の物体と前記他の物体とを結合する結合構造において、前記係止部は、前記傾斜部分に位置し、前記突起部の内の一つが係合する第１凹部と、残余の前記突起部が係合し、前記第１凹部よりも上側に位置する第２凹部とを備え、前記第１凹部及び第２凹部の開口部間の距離が前記第１凹部及び第２凹部に係合する突起部間の距離よりも短いことを特徴とする。
【０００９】
本発明においては、例えば下側に位置する一の突起部を他の突起部よりも先に第１凹部に係合させることによって、他の突起部と他の凹部（例えば第２凹部）との位置が整合する。
【００１０】
本発明に係る結合構造は、前記第１凹部及び第２凹部は、下側に伸びる第１溝部と、該第１溝部の下端部に一端部が連なり、前記第１溝部に交差する第２溝部と、前記第２溝部の他端部に連なっており、下側に伸びる第３溝部とを備えることを特徴とする。
【００１１】
本発明においては、第１溝部及び第２溝部を経由して、第３溝部に係合した突起部は、下側から力が作用しても、第２溝部と第３溝部とが接合する角部に当接し、突起部は前記第１凹部及び第２凹部から外れない。
【００１２】
本発明に係る結合構造は、前記第２溝部の他端部は上側に突出しており、前記突起部を掛止する掛止部を有することを特徴とする。
【００１３】
本発明においては、第３溝部に係合した突起部は、第２溝部と第３溝部とが接合する角部に当接した場合に、第２溝部の他端部の上側に突出した掛止部に掛止するので、第２溝部と平行な方向の力が作用しても、第１溝部へ向けて移動しない。
【００１４】
本発明に係る結合構造は、一の物体の上下に伸びる側面に取付部を設けてあり、前記突起部は前記取付部を介して一の物体に取り付けてあることを特徴とする。
【００１５】
本発明においては、突起部を取付部を介して一の物体に取り付けることで、突起部と一の物体との連結部分が補強される。
【００１６】
本発明に係る結合構造は、前記一の物体は表示装置であることを特徴とする。
【００１７】
本発明においては、表示装置を他の物体、例えば壁に取り付けて、限られた室内空間を有効に利用する。
【発明の効果】
【００１８】
本発明に係る結合構造にあっては、例えば下側に位置する一の突起部を第１凹部に係合させることによって、複数の他の突起部と該他の突起部に対応する第２凹部など他の凹部との位置が整合し、複数の突起部と該突起部に対応する複数の凹部とを同時に整合させずとも、短時間で一の物体を他の物体に係止させることができる。
【図面の簡単な説明】
【００１９】
【図１】表示装置及び表示装置に設けた突起部を略示する縦断面図である。
【図２】後キャビネットに固定した突起部を略示する斜視図である。
【図３】壁に固定した係止板を略示する斜視図である。
【図４】図３におけるＩＶ−ＩＶ線での略示拡大縦断面図である。
【図５】凹部を略示する拡大正面図である。
【図６】突起部の凹部への係合を説明する説明図である。
【図７】図６（ｃ）におけるＶＩＩ−ＶＩＩ線での略示縦側面断面図である。
【図８】変形例における突起部の凹部への係合を説明する説明図である。
【発明を実施するための形態】
【００２０】
以下本発明を実施の形態に係る結合構造を示す図面に基づいて詳述する。図１は表示装置１００及び表示装置１００に設けた突起部を略示する縦断面図、図２は後キャビネットに固定した突起部を略示する斜視図である。
【００２１】
図において表示装置１００は液晶を有する矩形の表示パネル１を備えている。該表示パネル１は、液晶への印加電圧を制御して光の透過率を調整し、映像を表示するように構成されている。表示パネル１は、前保持枠体２と後保持枠体３とによって、その周縁部が挟持されており、矩形枠状の前キャビネット４に収容されている。該前キャビネット４は前保持枠体２及び後保持枠体３の周囲に配置されている。前キャビネット４は矩形の開口を備えており、該開口の寸法は表示パネル１に対応した寸法となっている。表示パネル１の後側には、後述するＬＥＤ９（発光素子）の光を表示パネル１へ向けて集光する複数の光学シート５が設けてある。
【００２２】
該光学シート５の後側にはＬＥＤ９の光を均一に拡散する拡散板６が設けてある。該拡散板６は、深皿形の支持板７の縁部分にて支持されている。支持板７の前面には複数の基板８が並設してあり、該基板８の後面には、熱伝導性物質、例えば金属からなる膜状の放熱パターン（図示せず）が形成してある。
【００２３】
該基板８の前面には複数のＬＥＤ９、９、・・・、９が実装されており、各ＬＥＤ９、９、・・・、９の前側に、光を拡散させるレンズ１０、１０、・・・、１０がそれぞれ配置してある。該レンズ１０の周縁部には基板８側に突出した三つの突起１０ａ、１０ａ、１０ａが周方向に並設してあり、該突起１０ａの先端が基板８の前面に接着剤によって固着してある。
【００２４】
前記支持板７の前面の左右に支持台（図示せず）が各別に設けてあり、深皿型の反射シート１１の左右縁部が前記支持台にて支持されている。反射シート１１の底面には、前記レンズ１０、１０、・・・、１０を挿通する複数の挿通孔１１ａ、１１ａ、・・・、１１ａが開設してある。各レンズ１０は挿通孔１１ａを通って前側へ突出している。
【００２５】
支持板７の後側には深皿形の後キャビネット１２が設けてある。該後キャビネット１２の縦及び横寸法と前キャビネット４の縦及び横寸法は略同じであり、後キャビネット１２の縁部分と前キャビネット４の縁部分とは互いに対向する。前キャビネット４及び後キャビネット１２の縁部分には、図示しない係合凸部及び係合凹部がそれぞれ設けてあり、該係合凸部及び係合凹部を係合させて、前キャビネット４を後キャビネット１２に固定している。なお後キャビネット１２には制御基板（図示せず）が収容してあり、該制御基板からの出力信号に基づいて、ＬＥＤ９及び表示パネル１が駆動するようにしてある。
【００２６】
図２に示すように、後キャビネット１２の後面に、横長の二つの取付板２０、２１（取付部）が上下に並設してある。各取付板２０、２１はねじによって後キャビネット１２に固定してあり、上側の取付板２０の横方向の寸法は下側の取付板２１よりも短くなっている。各取付板２０、２１は、表示装置の横方向中央を通る上下線６０を基準にして左右対称に配置してある。上側の取付板２０の中央部には、前記上下線６０から略均等な距離を隔てて、二つの突起部３１、３２が横方向に並設してあり、一方下側の取付板２１の両端部には二つの突起部３３、３４がそれぞれ設けてある。なお図２に示すように、突起部３１、３２と突起部３３、３４との間の距離をｄ１とする。
【００２７】
突起部３１〜３４は、前後に伸びる軸部と、該軸部の両端部に設けてあり、互いに対向する二つの円板部とを備える。一の円板部は他の円板部よりも肉厚で小径であり、前記取付板２０、２１に固着している（図１参照）。
【００２８】
図３は壁に固定した係止板を略示する斜視図、図４は図３におけるＩＶ−ＩＶ線での略示拡大縦断面図である。
【００２９】
壁７０には台形状の係止板４０（係止部）が、短辺側が上側に位置するようにねじ止めしてある。係止板４０の縁の内、短辺部分４１及び傾斜部分４２、４３は、壁７０から離反するように屈曲しており、壁７０との間に適当な隙間が設けてある。前記短辺部分４１にはクランク形の二つの凹部５１、５２（第２凹部）が形成してあり、該凹部５１、５２は、台形状の係止板４０の上下方向における中心線から略均等な距離を隔てて並んでいる。各凹部５１、５２の開口部における角部分は上下方向において略同じ位置にあり、各凹部５１、５２の奥部も上下方向において略同じ位置にある。
【００３０】
一方の前記傾斜部分４２の下端部に、クランク形の凹部５３が形成してある。他方の前記傾斜部分４３の下端部に、突起部３４に対する位置決めを行うための凹部５４（第１凹部）が形成してある。該凹部５４はクランク形をなし、その開口部における角部分の位置は、前記凹部５３よりも上側に位置する。凹部５３の奥部の最奥面と凹部５４の奥部の最奥面とは上下方向において略同じ位置にある。そのため図３に示すように、短辺部分４１の凹部５１の開口部における角部分と他方の前記傾斜部分４３の凹部５４の開口部における角部分との間の距離ｄ２は、凹部５１の奥部の最奥面と凹部５４の奥部の最奥面との間の距離ｄ３よりも短い。なお前述した突起部３１、３２と突起部３３、３４との間の距離ｄ１は距離ｄ３と略同じであり、ｄ１＝ｄ３＞ｄ２の関係が成り立つようにようしてある。クランク形の各凹部５１〜５４はいずれも同じ方向に屈曲している。
【００３１】
図５は凹部を略示する拡大正面図である。
図５に示すように、凹部５１〜５４は、短辺部分４１及び傾斜部分４２、４３から下側に伸びる第１溝部５１ａ〜５４ａと、一端部が第１溝部５１ａ〜５４ａの下端部に連なり、第１溝部５１ａ〜５４ａに直角な第２溝部５１ｂ〜５４ｂと、該第２溝部５１ｂ〜５４ｂの他端部に連なり、下側に伸びる第３溝部５１ｃ〜５４ｃとを備える。第１溝部５１ａ〜５４ａは下側に向かうに従って縮幅している。第２溝部５１ｂ〜５４ｂの他端部の上側には、上側に円弧状に突出した掛止部５１ｄ〜５４ｄが形成してある。
【００３２】
図６は突起部の凹部への係合を説明する説明図、図７は図６（ｃ）におけるＶＩＩ−ＶＩＩ線での略示縦側面断面図である。図６において、表示装置１００を二点鎖線で表記し、取付板２０、２１及び突起部３１〜３４を鎖線で表記してある。
【００３３】
作業者が表示装置１００を壁７０に取り付ける場合には、突起部３１〜３４を凹部５１〜５４よりも上側に位置させて、図６（ａ）に示すように、前述した下側の取付板２１に設けてある突起部３４を他方の前記傾斜部分４３の中途部に接触させる。そして図６（ａ）の矢印にて示すように、下側に摺動させ、突起部３４を第１溝部５４ａに係合させる。このとき図６（ｂ）に示すように、他の突起部３１〜３３と対応する各凹部５１〜５３との位置が合い、他の突起部３１〜３３と各第１溝部５１ａ〜５４ａとが係合する。次に図６（ｂ）の矢印にて示すように、作業者は表示装置１００を横にずらし、第２溝部５１ｂ〜５４ｂにて突起部３１〜３４を第３溝部５１ｃ〜５４ｃの上端部まで摺動させる。そして図６（ｃ）に示すように、突起部３１〜３４を第３溝部５１ｃ〜５４ｃにて下側に摺動させる。最後に図７に示すように、第３溝部５１ｃ〜５４ｃの下端部に突起部３１〜３４を係合させて、表示装置１００を壁７０に取り付ける。
【００３４】
実施の形態に係る結合構造にあっては、突起部３４を他の突起部３１〜３３よりも先に凹部５４（第１凹部）に係合させることによって、係合した突起部３４以外の他の突起部３１〜３３と、凹部５１〜５３との位置が整合し、複数の突起部３１〜３４と該突起部３１〜３４に対応する複数の凹部５１〜５４との位置を同時に整合させることなく、短時間で表示装置１００を壁７０に係止させることができる。
【００３５】
また第１溝部５１ａ〜５４ａ及び第２溝部５１ｂ〜５４ｂを経由して、第３溝部５１ｃ〜５４ｃに係合した突起部３１〜３４は、下側から力が作用しても、第２溝部５１ｂ〜５４ｂと第３溝部５１ｃ〜５４ｃとが接合する角部に当接し、突起部３１〜３４は凹部５１〜５４から外れず、突起部３１〜３４を設けた表示装置１００が地震などによって壁７０から外れることはない。
【００３６】
また第３溝部５１ｃ〜５４ｃに係合した突起部３１〜３４は、第２溝部５１ｂ〜５４ｂと第３溝部５１ｃ〜５４ｃとが接合する角部に当接した場合に、上側に窪んだ掛止部５１ｄ〜５４ｄに掛止するので、第２溝部５１ｂ〜５４ｂと平行な方向の力が作用しても、第１溝部５１ａ〜５４ａへ向けて移動せず、突起部３１〜３４を設けた物体、例えば表示装置１００が上下左右に揺れても壁７０から外れることはない。
【００３７】
また突起部３１〜３４を取付板２０、２１を介して後キャビネット１２に取り付けることで、突起部３１〜３４と表示装置１００との連結部分が補強されるので、表示装置１００が揺れても突起部３１〜３４が後キャビネット１２から外れることはない。
【００３８】
また表示装置１００を壁７０に取り付けることで限られた室内空間を有効に利用することができる。
【００３９】
なお実施の形態に係る結合構造にあっては、第２溝部５１ｂ〜５４ｂは第１溝部５１ａ〜５４ａに直角であるが、第１溝部５１ａ〜５４ａに対して傾斜していても良い。また実施の形態に係る結合構造にあっては、凹部５１〜５４はクランク形であるが、第２溝部５１ｂ〜５４ｂが第１溝部５１ａ〜５４ａに交差していれば良く、凹部５１〜５４はクランク形に限定されない。また実施の形態に係る結合構造にあっては、二つの凹部５１、５２（第２凹部）が短辺部分４１に形成してあるが、凹部５１又は凹部５２のいずれか一方のみを短辺部分４１に形成しても良い。また凹部５１、５２を傾斜部分４２、４３に形成しても良い。また実施の形態に係る結合構造にあっては、傾斜部分４２、４３にそれぞれ凹部５３、５４を形成してあるが、傾斜部分４２には凹部５３を形成せずに、傾斜部分４３に凹部５４（第１凹部）のみを形成しても良い。
【００４０】
次に実施の形態に係る結合構造の変形例について説明する。図８は変形例における突起部の凹部への係合を説明する説明図である。
【００４１】
図８に示すように、短辺部分４１にはクランク形の二つの凹部５１′、５２′（第２凹部）が形成してあり、該凹部５１′、５２′は、台形状の係止板４０の上下方向における中心線から略均等な距離を隔てて並んでいる。各凹部５１′、５２′の開口部における角部分は上下方向において略同じ位置にあり、各凹部５１′、５２′の奥部も上下方向において略同じ位置にある。
【００４２】
前記傾斜部分４２及び４３の下端部に、それぞれクランク形の凹部５３′、５４′（第１凹部）が形成してある。凹部５４′の開口部における角部分の位置は、上下方向において凹部５３′の開口部における角部分よりも上側に位置する。また凹部５３′の奥部の最奥面と凹部５４′の奥部の最奥面とは上下方向において略同じ位置にある。
【００４３】
なお凹部５１′〜５４′は、前述した第１溝部〜第３溝部及び掛止部を備えており、図５において、符号５１〜５４の部分を５１′〜５４′に読み替えて準用する。
【００４４】
凹部５１′、５２′の第１溝部５１′ａ、５２′ａは、凹部５３′、５４′の第１溝部５３′ａ、５４′ａよりも短くなっている。また凹部５１′、５２′の第３溝部５１′ｃ、５２′ｃは、凹部５３′、５４′の第３溝部５３′ｃ、５４′ｃと略同じか又は第３溝部５３′ｃ、５４′ｃよりも長くなっている。また凹部５１′、５２′の第２溝部５１′ｂ、５２′ｂは、凹部５３′、５４′の第２溝部５３′ｂ、５４′ｂと略同じである。
【００４５】
そのため短辺部分４１の凹部５１′、５２′の開口部における角部分と凹部５３′、５４′の開口部における角部分との間の距離ｄ２は、凹部５１′、５２′の奥部の最奥面と凹部５３′、５４′の奥部の最奥面との間の距離ｄ３′と略等しいか又は距離ｄ３′よりも長い。なお前述した突起部３１、３２と突起部３３、３４との間の距離ｄ１は距離ｄ２よりも長く、ｄ１＞ｄ２＝ｄ３′またはｄ１＞ｄ２＞ｄ３′の関係が成り立つようにしてある。クランク形の各凹部はいずれも同じ方向に屈曲している。
【００４６】
作業者が表示装置１００を壁７０に取り付ける場合には、突起部３１〜３４を凹部５１′〜５４′よりも上側に位置させて、図８（ａ）に示すように、下側の取付板２１に設けてある突起部３４を傾斜部分４３の中途部に接触させる。そして図８（ａ）の矢印にて示すように、下側に摺動させ、突起部３４を第１溝部５４′ａに係合させる。このとき突起部３３と第１溝部５３′ａとが係合し、更に表示装置１００を下側に移動させた場合に、他の突起部３１〜３３と対応する各凹部５１′〜５３′との位置が整合し、図８（ｂ）に示すように、突起部３１〜３４と各第１溝部５１′〜５４′ａとが係合する。
【００４７】
次に図８（ｂ）の矢印にて示すように、作業者は表示装置１００を横にずらし、第２溝部５１′ｂ〜５４′ｂにて突起部３１〜３４を第３溝部５１′ｃ〜５４′ｃの上端部まで摺動させる。そして図８（ｃ）に示すように、突起部３１〜３４を第３溝部５１′ｃ、５２′ｃ、５３′ｃ、５４′ｃにて下側に摺動させる。最後に第３溝部５３′ｃ及び５４′ｃの下端部に突起部３３及び３４を係合させて、表示装置１００を壁７０に取り付ける。なおこのとき突起部３１及び３２は、ｄ１＞ｄ２＞ｄ３′の関係が成り立つ場合に、第３溝部５１′ｃ及び５２′ｃの中途部に位置し、ｄ１＞ｄ２＝ｄ３′の関係が成り立つ場合に、第３溝部５１′ｃ及び５２′ｃの下端部に位置する。
【００４８】
実施の形態に係る結合構造の変形例にあっては、突起部３４を他の突起部よりも先に凹部５４′に係合させることによって、係合した突起部以外の他の突起部と凹部との位置が整合し、複数の突起部３１〜３４と該突起部３１〜３４に対応する複数の凹部５１′〜５４′との位置を同時に整合させることなく、短時間で表示装置１００を壁７０に係止させることができる。
【００４９】
なお実施の形態に係る結合構造及びその変形例における距離ｄ１〜ｄ３（ｄ３′含む）の関係は、ｄ１＞ｄ２の関係が成立していればよく、距離ｄ１及び距離ｄ２と距離ｄ３（ｄ３′）との関係は適宜選択可能であり、前述した関係（ｄ１＝ｄ３＞ｄ２、ｄ１＞ｄ２＝ｄ３′またはｄ１＞ｄ２＞ｄ３′）に限定されない。また実施の形態に係る結合構造及びその変形例において、距離ｄ１〜ｄ３（ｄ３′含む）の関係に応じて、各突起部が各凹部に係合するように、第１溝部〜第３溝部が設計されることは言うまでもない。例えば実施の形態に係る結合構造の変形例において、凹部５４′の開口部における角部分と凹部５３′の開口部における角部分との上下方向の位置が略同じになるように設計してもよい。
【００５０】
以上の実施の形態及びその変形例は本発明の一例であって、本発明は特許請求の範囲に記載した事項の範囲内において種々変更した形態にて実施することができることは言うまでもない。
【符号の説明】
【００５１】
２０、２１  取付板（取付部）
３１〜３４  突起部
４０  係止板（係止部）
４１  短辺部分
４２、４３  傾斜部分
５１〜５４  凹部
５１ａ〜５４ａ、５１′ａ〜５４′ａ  第１溝部
５１ｂ〜５４ｂ、５１′ｂ〜５４′ｂ  第２溝部
５１ｃ〜５４ｃ、５１′ｃ〜５４′ｃ  第３溝部
５１ｄ〜５４ｄ、５１′ｄ〜５４′ｄ  掛止部
１００  表示装置
【図１】
2011033086.tif 000003
【図２】
2011033086.tif 000004
【図３】
2011033086.tif 000005
【図４】
2011033086.tif 000006
【図５】
2011033086.tif 000007
【図６】
2011033086.tif 000008
【図７】
2011033086.tif 000009
【図８】
2011033086.tif 000010